(57)【要約】      （修正有）【課題】目皿等の網を使用せず、縦樋を雨水と共に落下する枯葉や虫等のゴミを取り除き、雨水を外部に取り出すことができる雨水分岐継手を提供する。【解決手段】継手本体部１１は、上部流入口１２の下流側に連設される外筒部１５と、継手本体部内の下方領域に外筒部の軸心に沿って設けられ、下部排水口１４に連設される外筒部よりも小径の内筒部１６と、外筒部の内壁と内筒部の外壁とを同じ高さ位置で連結する底部１７と、外筒部の内壁と内筒部の外壁と底部とで構成された雨水溜１８とを備え、分岐流出口１３は、雨水溜の空間内に継手本体部の外壁を貫通して連通され、継手本体部の外筒部の内壁には、内壁の上位位置から下位位置にわたって軸心方向に突設された同一外形の複数のフィンからなる突設フィン群２０を備え、フィン同士の突設端を結んだ開口２２の最小内径が、雨水溜の内筒部の開口端の直上高さ位置で、内筒部の開口内径と同径である。【選択図】図１
2020060022.tif 000002
【特許請求の範囲】
【請求項１】
雨水が流入する上部縦樋と下部縦樋との間に配設される筒状の継手本体部と、前記上部縦樋の下端に接続されて前記継手本体部の内部へ雨水が流入する上部流入口と、前記上部流入口からの雨水の一部を前記継手本体部の側方から雨水タンクに連通する取水流路に分岐させる分岐流出口と、前記下部縦樋の上端に接続されて前記分岐流出口で分岐されなかった雨水を前記継手本体部の下方の前記下部縦樋に流下させる下部排水口とを備えた雨水分岐継手において、前記継手本体部は、前記上部流入口の下流側に連設される外筒部と、前記継手本体部内の下方領域に前記外筒部の軸心に沿って設けられ、前記下部排水口に連設される前記外筒部よりも小径の内筒部と、前記外筒部の内壁と内筒部の外壁とを同じ高さ位置で連結する底部と、前記外筒部の内壁と前記内筒部の外壁と前記底部とで構成された雨水溜とを備え、前記分岐流出口は、前記雨水溜の空間内に前記継手本体部の外壁を貫通して連通され、前記継手本体部の外筒部の内壁には、該内壁の上位位置から下位位置にわたって軸心方向に突設された同一外形の複数のフィンが前記内壁周面に周設されて構成される突設フィン群を備え、前記突設フィン群によって内壁周面に形成された同じ高さ位置の前記フィン同士の突設端を結んだ開口の最小内径が、前記雨水溜の前記内筒部の開口端の直上高さ位置で、前記内筒部の開口内径と同径であることを特徴とする雨水分岐継手。
【請求項２】
前記外筒部の外径が前記上部縦樋の外形と同径であることを特徴とする請求項１に記載の雨水分岐継手。
【請求項３】
前記外筒部が下方に向かって拡径され、前記内筒部の開口内径が前記上部流入口の内径と同径であることを特徴とする請求項１に記載の雨水分岐継手。
【発明の詳細な説明】
【技術分野】
【０００１】
本発明は、雨水の有効利用を目的とし竪樋を流下する雨水の一部を外部に取り出すための雨水分岐継手に関するものである。
【背景技術】
【０００２】
近年、水不足や環境保全意識の高まりから、雨水をそのまま下水として公共水路を介して河川や海等に流すのではなく、雨水を例えば中水道のような資源として有効利用することが検討されており、そのための雨水タンクの設置が公共施設や民間施設等で活発化している。元来、雨水は汚水とは相違して浄化せずに河川や海等に流すことが出来るため、施設や道路等の清掃用水、植物への水遣り用水、打ち水用水等々の利用が検討されている。
【０００３】
雨水タンクへの雨水の供給は、多くの場合には、公共施設や民間施設等の建物の雨樋から行われる。既存の雨樋に対しては、竪樋を流下する雨水の一部を途中で外部に取り出す雨水分岐継手が提案されている（例えば、特許文献１参照）。
【０００４】
この特許文献１では、雨樋には、通常、枯葉や虫等の比較的大きなゴミが雨水と共に流れ込むため、雨水は目皿でゴミを取り除いた後に分岐して雨水タンクに貯留している。また、開口を覆う蓋部を開けて、内部の目皿上のゴミを取り出すことが出来るため、メンテナンスを容易に行う利点が提案されている。
【先行技術文献】
【特許文献】
【０００５】
【特許文献１】特開２０１２−４６９４４号公報
【発明の概要】
【発明が解決しようとする課題】
【０００６】
前記特許文献１では、目皿は金属糸を網状に織り込んで蓋部下端の開放縁から筒部の上端まで中央が開口したドーナツ状に形成され、蓋部を開けることでメンテナンスが容易となってはいるが、目皿上に置かれたゴミは目皿上に残り、このゴミが重なることにより、雨水分岐継手部分で目詰まりが起こり易くなる。
【０００７】
本発明は、目皿等の網を使用せず、縦樋を雨水と共に落下する枯葉や虫等のゴミを取り除くことで詰りを防止し、ゴミが除去された雨水を外部に取り出すことができる雨水分岐継手を得ることを目的とする。
【課題を解決するための手段】
【０００８】
請求項１に記載された発明に係る雨水分岐継手は、雨水が流入する上部縦樋と下部縦樋との間に配設される筒状の継手本体部と、前記上部縦樋の下端に接続されて前記継手本体部の内部へ雨水が流入する上部流入口と、前記上部流入口からの雨水の一部を前記継手本体部の側方から雨水タンクに連通する取水流路に分岐させる分岐流出口と、前記下部縦樋の上端に接続されて前記分岐流出口で分岐されなかった雨水を前記継手本体部の下方の前記下部縦樋に流下させる下部排水口とを備えた雨水分岐継手において、前記継手本体部は、前記上部流入口の下流側に連設される外筒部と、前記継手本体部内の下方領域に前記外筒部の軸心に沿って設けられ、前記下部排水口に連設される前記外筒部よりも小径の内筒部と、前記外筒部の内壁と内筒部の外壁とを同じ高さ位置で連結する底部と、前記外筒部の内壁と前記内筒部の外壁と前記底部とで構成された雨水溜とを備え、前記分岐流出口は、前記雨水溜の空間内に前記継手本体部の外壁を貫通して連通され、前記継手本体部の外筒部の内壁には、該内壁の上位位置から下位位置にわたって軸心方向に突設された同一外形の複数のフィンが前記内壁周面に周設されて構成される突設フィン群を備え、前記突設フィン群によって内壁周面に形成された同じ高さ位置の前記フィン同士の突設端を結んだ開口の最小内径が、前記雨水溜の前記内筒部の開口端の直上高さ位置で、前記内筒部の開口内径と同径であることを特徴とするものである。
【０００９】
請求項２に記載された発明に係る雨水分岐継手は、請求項１に記載の外筒部の外径が前記上部縦樋の外形と同径であることを特徴とするものである。
【００１０】
請求項３に記載された発明に係る雨水分岐継手は、請求項１に記載の外筒部が下方に向かって拡径され、前記内筒部の開口内径が前記上部流入口の内径と同径であることを特徴とするものである。
【発明の効果】
【００１１】
本発明は、目皿等の網を使用せずに縦樋を雨水と共に流れ落ちるゴミを中央部に誘導し、ゴミが上部縦樋から下部縦樋へ落下する間に取り除くことで詰りを防止でき、ゴミが除去された雨水を外部に取り出すことができるという効果がある。
【図面の簡単な説明】
【００１２】
【図１】本発明の雨水分岐継手の一実施例の構成を示す断面図である。
【図２】図１の平面図である。
【図３】図１の雨水分岐継手の設置を示す説明図である。
【図４】本発明の雨水分離継手の別の実施例の構成を示す断面図である。
【発明を実施するための形態】
【００１３】
本発明においては、雨水が流入する上部縦樋と下部縦樋との間に配設される筒状の継手本体部と、上部縦樋の下端に接続されて継手本体部の内部へ雨水が流入する上部流入口と、上部流入口からの雨水の一部を継手本体部の側方から雨水タンクに連通する取水流路に分岐させる分岐流出口と、下部縦樋の上端に接続されて分岐流出口で分岐されなかった雨水を継手本体部の下方の下部縦樋に流下させる下部排水口とを備えた雨水分岐継手である。
【００１４】
継手本体部は、上部流入口の下流側に連設される外筒部と、継手本体部内の下方領域に外筒部の軸心に沿って設けられ、下部排水口に連設される外筒部よりも小径の内筒部と、外筒部の内壁と内筒部の外壁とを同じ高さ位置で連結する底部と、外筒部の内壁と内筒部の外壁と底部とで構成された雨水溜とを備え、雨水分岐継手の分岐流出口は、水溜の空間内に継手本体部の外壁を貫通して連通されている。
【００１５】
本発明の雨水分岐継手には、ゴミを排除する機構を有している。具体的には、継手本体部の外筒部の内壁の上位位置から下位位置にわたって軸心方向に突設された同一外形の複数のフィンが前記内壁周面に周設された突設フィン群を備え、この突設フィン群によって内壁周面に周設された同じ高さ位置のフィン同士の突設端を結んだ開口の最小内径が、雨水溜の内筒部の開口端の直上高さ位置で、内筒部の開口内径と同径であるとしている。
【００１６】
これにより、目皿で雨水とゴミとを分離するのではなく、縦樋を流れ落ちるゴミを突設フィン群で雨水とを分離しつつ、ゴミを下方に誘導することにより、ゴミのみを上部縦樋から下部縦樋へ落下させることができる。このようにして、縦樋を雨水と共に落下する枯葉や虫等のゴミを取り除くことで詰りを防止し、ゴミが除去された雨水を外部に取り出すことができる雨水分岐継手を得ることができる。
【００１７】
即ち、本発明の突設フィン群を構成する個々のフィンは、継手本体部の外筒部の内壁の上位位置から下位位置にわたって軸心方向に突設され同一外形のものである。これらの複数のフィンが外筒部の内壁周面に周設されて突設フィン群を構成している。個々のフィンは同一形状であるため、突設フィン群によって内壁周面に周設された同じ高さ位置のフィン同士の突設端を結んだ開口は、突設長が最も長い高さ位置のものが、最小内径となる。
【００１８】
本発明では、この最小内径が雨水溜の内筒部の開口端の直上高さ位置で、内筒部の開口内径と同径としている。このため、例えば、好ましい外観を得るために外筒部の外形が上部縦樋の外形と同径である場合には、突設フィン群の同じ高さ位置のフィン同士の突設端を結んだ開口は内壁の上位位置から最小内径の高さ位置に至るまで緩やかに縮径する。
【００１９】
この最小内径の開口内径を内筒部の開口径とすることにより、雨水と共に落下される縦樋を雨水と共に落下する枯葉や虫等のゴミは、自重等によって徐々に軸心方向に移動し、内筒部の直上で突設フィン群から離れて、内筒部の開口に落下し、縦樋を雨水と共に落下する枯葉や虫等のゴミを取り除くことができる。このことでゴミの詰りを防止し、ゴミが除去された雨水を外部に取り出すことができる雨水分岐継手を得ることができる。
【００２０】
より具体的に本発明の雨水分離継手の動作を説明すると、豪雨のような大量の雨が降った場合以外は、主な雨水は表面張力で縦樋の内壁面に伝って流下する。多くの枯葉や虫等のゴミも、特に枯葉等のゴミの場合には、雨水の表面張力で縦桶の内壁面に伝いながら落下する。
【００２１】
本発明の雨水分離継手の突設フィン群の上端に雨水とゴミとが至った場合には、内壁面を伝った雨水の主なものは、個々のフィンの間から分離継手の外筒部の内壁を伝って流下し、雨水溜の底面に至って雨水溜に雨水が溜まり、分岐流出口から継手外部へ排出され、この分岐流出口に連通する取水流路から雨水タンクに至る。
【００２２】
一方、ゴミは個々のフィンの上を滑って主な雨水から分離される。即ち、ゴミは個々のフィンの縁部のみと接触しているため、ゴミの自重と、フィンの縁部を流れる極小の雨水と、縦樋の内壁を伝って流れてこない雨滴とによってゴミが個々のフィンの縁部に沿って、フィン群の縮径する開口内を軸心方向に移動する。内筒部の直上で突設フィン群から離れて、内筒部の開口に落下し、下部排水口から下部縦樋へ落下される。
【００２３】
本発明のフィンの突設形状は、フィン群の開口の最小内径が、内筒部の開口内径と同径となればよく、内筒部の開口内径の大きさは問わない。このため、上部縦樋を落下するゴミがスムーズに下部縦樋を落下できるように、内筒部の開口内径が前記上部縦樋と面一となるように両内径を同径としてもよい。例えば、外筒部が下方に向かって拡径され、内筒部の開口径が上部縦樋と同径である場合には、上部縦樋を落下するゴミがスムーズに下部縦樋を落下できる。
【００２４】
尚、本発明の雨水分岐継手の素材は、充分な力学的強度を有し、耐候性、耐食性、耐久性等に優れた素材であればよい。１種類の素材のみから構成しても、２種類以上の素材を組み合わせて構成してもよい。例えば、塩化ビニル樹脂等の樹脂材料やステンレス鋼等の金属材料を単独で又は複数の素材を用いてもよい。
【実施例】
【００２５】
図１は本発明の雨水分岐継手の一実施例の構成を示す断面図である。図２は図１の平面図である。図３は図１の雨水分岐継手の設置を示す説明図である。図１及び図２に示す通り、本実施例の雨水分岐継手１０は、継手本体部１１と上部流入口１２と分岐流出口１３と下部排水口１４とを備える。
【００２６】
具体的は、雨水分岐継手１０は、雨水が流入する上部縦樋３１と下部縦樋３２との間に配設された筒状体である。上部流入口１２は、上部縦樋３１の下端に接続されて継手本体部１１へ雨水を流入させる。分岐流出口１３は、上部流入口１２からの雨水の一部を継手本体部１１側方から雨水タンク３０に連通する取水流路３４に分岐される。下部排水口１４は、下部縦樋３２の上端に配設されて分岐流出口１３で分岐されなかった雨水を雨水分岐継手１０の下方の下部縦樋３２に連通される。
【００２７】
分岐流出口１３は、上部流入口１２に連通する継手本体部１１の外筒部１５の内壁と、上部流入口１２の直下に配され外筒部１５よりも小径の内筒部１６の外壁と、外筒部１５の内壁と内筒部１６の外壁とを同じ高さ位置で連結する底部１７とで構成された雨水溜１８の空間内に継手本体部１１の外壁を貫通して連通されている。
【００２８】
そして、継手本体部１１の外筒部１５の内壁は、軸心方向に突設された複数のフィン２１からなる突設フィン群２０を備えている。
この突設フィン群２０は、外筒部１５の内壁の上位位置から下位位置の雨水溜１８の内筒部１６の開口端の直上高さ位置で内筒部１６の開口径と同径となるように緩やかに軸心方向に突設された複数のフィン２１が外筒部１５の内壁周面に周設されて構成されている。
【００２９】
図３に示す通り、屋根３５に降った雨水は、屋根３５の端縁下方に配された軒下横樋３３で集められ、縦樋３１、３２で排水路３６に流下させる。本実施例の雨水分岐継手１０は、この上部縦樋３１と下部縦樋３２との間に配することで雨水の一部を雨水タンク３０に導入して貯留する。
【００３０】
即ち、屋根３５に降った主な雨水は、表面張力で上部縦樋３１の内壁面に伝って流下する。多くの枯葉や虫等のゴミも、特に枯葉等のゴミの場合には、雨水の表面張力で上部縦樋３１の内壁面に伝いながら落下する。雨水分離継手１０の突設フィン群２０の上端に雨水とゴミとが至った場合には、上部縦樋３１の内壁面を伝った雨水の主なものは、個々のフィン２１の間から雨水分離継手１０の外筒部１５の内壁を伝って流下し、雨水溜１８の底面１７に至って雨水溜１８に雨水が溜まり、分岐流出口１３から外部へ排出され、この分岐流出口１３に連通する雨水タンク３０に至る。
【００３１】
一方、ゴミは個々のフィン２１の上を滑って主な雨水から分離される。ゴミは個々のフィン２１の縁部のみと接触しているため、ゴミの自重と、フィン２１の縁部を流れる極小の雨水と、縦樋の内壁を伝って流れてこない雨滴とによってゴミが個々のフィン２１の縁部に沿って縮径するフィン群による開口２２の内側を軸心方向に移動する。内筒部１６の直上で突設フィン群２０から離れて、内筒部１６の開口に落下し、下部縦樋３２へ落下される。これにより、ゴミを上部縦樋から下部縦樋へ落下させることができ、縦樋を雨水と共に落下する枯葉や虫等のゴミを取り除くことができる。このことでゴミの詰りを防止し、ゴミが除去された雨水を外部に取り出すことができる雨水分岐継手を得ることができる。
【００３２】
図４は本発明の雨水分離継手の別の実施例の構成を示す断面図である。図４に示す通り、本実施例の雨水分離継手４０は、上部縦樋を落下するゴミがスムーズに下部縦樋を落下できるように、内筒部４６の開口径が前記上部縦樋と同径となっている。即ち、本実施例の雨水分岐継手４０においても、継手本体部４１と上部流入口４２と分岐流出口４３と下部排水口４４とを備える。
【００３３】
具体的は、雨水分岐継手４０は、雨水が流入する上部縦樋と下部縦樋との間に配設され途中で径が大きくなった筒状体である。上部流入口４２は、上部縦樋の下端に接続されて継手本体部４１内部へ雨水を流入させる。分岐流出口４３は、上部流入口からの雨水の一部を継手本体部４１側方から雨水タンクに連通する取水流路に分岐される。下部排水口４４は、下部縦樋の上端に接続されて分岐流出口４３で分岐されなかった雨水を雨水分岐継手４０の下方の下部縦樋に流下させる。
【００３４】
分岐流出口４３は、上部流入口４２に連通し下方に向かって拡径された継手本体部４１の外筒部４５の内壁と、上部流入口４２の直下に配され外筒部４５よりも小径の内筒部４６の外壁と、外筒部４５の内壁と内筒部４６の外壁との間を塞いで同じ高さ位置で連結する底部４７とで構成された雨水溜４８の空間内に継手本体部４１の外壁を貫通して連通されている。
【００３５】
継手本体部４１の外筒部４５は、下方に向かって拡径されており、その拡径が始まる内壁の上位位置から、下位位置にわたって、フィン群による開口５２が雨水溜４８の内筒部４６の開口端の直上高さ位置で内筒部４６の開口内径に至るまで同じ開口内径となるように、内筒部４６の開口端の直上高さ位置で最長突設長した軸心方向に突設された複数のフィン５１が外筒部４５の内壁周面に周設されて構成される突設フィン群５０を備えている。
【００３６】
突設フィン群５０の開口内径が上部流入口４２と同径となっているため、上部縦樋を落下するゴミがスムーズに下部排水口から下部縦樋に落下できる。
これにより、縦樋を雨水と共に落下する枯葉や虫等のゴミを取り除くことができ、詰りを防止してゴミが除去された雨水を外部に取り出すことができる雨水分岐継手を得ることができる。
【産業上の利用可能性】
【００３７】
本発明に係る雨水分岐継手は、縦樋を流下する雨水の一部を分岐させて貯留し、生活用水として利用することができる。
【符号の説明】
【００３８】
１０、４０…雨水分岐継手、
１１、４１…継手本体部、
１２、４２…上部流入口、
１３、４３…分岐流出口、
１４、４４…下部排水口、
１５、４５…外筒部、
１６、４６…内筒部、
１７、４７…底部、
１８、４８…雨水溜、
２０、５０…突設フィン群、
２１、５１…フィン、
２２、５２…フィン群による開口、
３０      …雨水タンク、
３１      …上部縦樋、
３２      …下部縦樋、
３３      …軒下横樋、
３４      …分取流路、
３５      …屋根、
３６      …排水路、
【図１】
2020060022.tif 000003
【図２】
2020060022.tif 000004
【図３】
2020060022.tif 000005
【図４】
2020060022.tif 000006